(57)【要約】【課題】伝統的な越中褌のスタイルを維持しつつ、ズボンを上から履いても快適であり、現代人の服装にフィットすることができる褌を提供する。【解決手段】褌１０は、長方形状の前垂れ布２と、前垂れ布２の基端２ｂに結合された腰紐４と有し、前垂れ布２の長さＬと幅Ｗの比Ｌ／Ｗが、４＜Ｌ／Ｗ＜５．２である。装着時に腰紐４の内側を通した前垂れ布２を使用者の前方で折り返し、前垂れ布の先端２ａを腰紐４の内側に保持することができ、それにより前垂れ部の長さを自在に調節できる。【選択図】図１
0003203447.tif 000002
【実用新案登録請求の範囲】
【請求項１】
長方形状の前垂れ布と、前記前垂れ布の端部に結合された腰紐と有する褌において、
前記前垂れ布の長さＬと幅Ｗの比Ｌ／Ｗが、４＜Ｌ／Ｗ＜５．２であることを特徴とする褌。
【請求項２】
前記長さＬと幅Ｗの比Ｌ／Ｗが、４．２＜Ｌ／Ｗ＜５であることを特徴とする請求項１に記載の褌。
【請求項３】
前記前垂れ布の長さＬが１１０ｃｍ〜１３０ｃｍであり且つ幅Ｗが２５ｃｍ〜３０ｃｍであることを特徴とする請求項１または２に記載の褌。
【請求項４】
前記前垂れ布が使用者の後方に位置するように前記腰紐を使用者の体に巻き、前記前垂れ布の先端を股下から前方に回して前記腰紐の内側を通し、使用者の前方で折り返し、前記前垂れ布の先端を前記腰紐の内側に保持するように装着することを特徴とする請求項１〜３のいずれか一項に記載の褌。
【考案の詳細な説明】
【技術分野】
【０００１】
本考案は、伝統的な越中褌のスタイルを維持しつつも現代人に適した新規な褌に関する。
【背景技術】
【０００２】
褌（ふんどし）は、伝統的な下着であるが、風通しがよく、また蒸れにくいため愛用者も多い。特に、太腿部分を拘束しないために、サッカー選手やプロレスラー等の太ももの筋肉が発達したスポーツ選手にとって、褌は快適である。褌の一種である越中褌は、長さ１００ｃｍ程度（約３尺）、幅３４ｃｍ程度（約１尺）の布の端に腰紐を縫い合わせた形態を持つ。このような越中褌は、クラシックパンツ、サムライパンツとも呼ばれ、水行や裸祭りでも使われる。
【０００３】
近年、越中褌の装着容易性を追求して各種の改良がなされている(特許文献１〜３を参照)。また、使い心地を良好にすると共に使用者の後ろから見た見栄えを良くするために、布の端部をその幅方向の中央に使用時に臀部及び股下部を覆うような細い形状のくびれ部が残るように両側から対称にＤ字状に裁断したものも考案されている（特許文献４）。
【先行技術文献】
【特許文献】
【０００４】
【特許文献１】特許第４０２９２９７号
【特許文献２】実用新案登録第３１１２３４６号
【特許文献３】特開２００７−２２４４７７号
【特許文献４】実用新案登録第２５２６９０２号
【考案の概要】
【考案が解決しようとする課題】
【０００５】
従来の越中褌は、ズボンを上から着用することは想定しておらず、上記のような縦横寸法の褌の上からズボンを装着すると、前垂れ布の角がめくれ上がり、装着が困難となる。また、従来の装着方法では前垂れ布が比較的長いために、ズボンの装着を困難にし、ズボンのまたは下の部分に前垂れ布が折り曲がって溜まるためにあまり快適ではない。このような課題を上記特許文献に開示されたいずれの越中褌も解決していない。この課題を解決するために、越中褌の前垂れの布の形状を変更することも考えられるが、前垂れ布の形を大幅に変更すると、伝統的な越中褌のイメージを損なうことになる。
【０００６】
本考案は上記の課題を解決することを主な目的とするものであり、伝統的な越中褌のスタイルを維持しつつ、ズボンを上から履いても快適であり、現代人の服装にフィットすることができる新規な形状の褌を提供することを目的とする。
【課題を解決するための手段】
【０００７】
本考案の態様に従えば、長方形状の前垂れ布と、前記前垂れ布の端部に結合された腰紐と有する褌において、
前記前垂れ布の長さＬと幅Ｗの比Ｌ／Ｗが、４＜Ｌ／Ｗ＜５．２であることを特徴とする褌が提供される。長さＬと幅Ｗの比Ｌ／Ｗは好ましくは、４．２＜Ｌ／Ｗ＜５である。
【０００８】
本考案の褌は、その装着時に、前記前垂れ布が使用者の前方で折り返され、前記前垂れ布の端部が腰紐の内側で保持されてよい。
【０００９】
本考案の褌において、前記前垂れ布の長さＬが１１０ｃｍ〜１３０ｃｍであり且つ幅Ｗが２５ｃｍ〜３０ｃｍであってよい。さらには、長さＬが１１５ｃｍ〜１２５ｃｍであり且つ幅Ｗが２６ｃｍ〜２９ｃｍが好ましい。
【考案の効果】
【００１０】
本考案の褌によれば、上記縦横比を採用することにより、装着時に前垂れ部を折り返して重ねることができ、その結果、使用者の前側に垂れ下がる前垂れ布の部分を短くすることができる。それにより、この褌の上からズボンが履き易くなる。また、ズボンの内部が快適になる。
【図面の簡単な説明】
【００１１】
【図１】図１は、本考案の越中褌の実施形態を示す図である。
【図２】図２（Ａ）〜（Ｆ）は、本考案の越中褌の装着方法を示す説明図である。
【考案を実施するための形態】
【００１２】
本考案の褌の実施形態を、図１を参照して説明する。図１に示すように、本実施形態の褌１０は、長方形状の前垂れ布２と、前垂れ布の長さ方向の一端（基端）２ｂに縫い合わされた腰紐４と有する。腰紐４は、前垂れ布の基端２ｂから幅方向の両側に延在している。前垂れ布２は、基本的に長方形の形状であり、前垂れ布２の長さＬと幅Ｗの比Ｌ／Ｗ（以下、適宜、「縦横比」ともいう）が、４＜Ｌ／Ｗ＜５．２である。従来の越中褌の前垂れ布の縦横比が２．９程度（長さ１００ｃｍ程度、幅３４ｃｍ程度として）であるので、本考案の褌１０は、従来品に比較して、前垂れ布２がより縦長になっている。本考案の褌の長さＬと幅Ｗの比Ｌ／Ｗは、４．２＜Ｌ／Ｗ＜５であることがより好ましい。
【００１３】
このように、前垂れ布２の縦横比を本考案のように大きくすることによって、褌を装着したときに、腰紐４から垂れ下がる前垂れ布２の長さを長くすることができ、それを折り返して前垂れ布の先端２ａ（基部２ｂと反対側の端部）を腰紐４と体の間に挟み込んで保持することができる（図２（Ｅ）及び（Ｆ）を参照）。この作用・効果については、褌の装着方法とともに後述する。
【００１４】
前垂れ布２の長さＬは、１１０ｃｍ〜１３０ｃｍであり且つ、幅Ｗが２５ｃｍ〜３０ｃｍであることが好ましく、さらには、長さＬが１１５ｃｍ〜１２５ｃｍであり且つ、幅Ｗが２６ｃｍ〜２９ｃｍであることが好ましい。例えば、長さＬが１２０ｃｍ、幅Ｗが２８ｃｍにしてよい。なお、前垂れ布２は、厳密な意味での長方形でなくてもよく、先端２ａと基端２ｂの幅が多少異なってもよく、一見して長方形に見えれば、本考案の褌の範囲に包含される。
【００１５】
前垂れ布２の素材は、シルク、綿、合成繊維など任意の素材を使用しうる。前垂れ布２にプリント柄や縫込みを入れても構わないし、染色してもよい。前垂れ布の先端２ａ、基端２ｂ及び幅方向の両端８（以下、「側端」という）は、いずれも折り返して縫い合わせたり、接着してもよい。
【００１６】
腰紐４は、例えば、幅２０〜３０ｍｍ程度、長さ１６０ｃｍ〜２００ｍｍ程度の平紐にすることができ、前垂れ布２と同一の素材から形成される。腰紐４の長さ方向の中央に、前垂れ布２の基端２ｂが結合されている。腰紐４を前垂れ布２の基端２ｂに結合するには、縫い合わせや接着など任意の方法で構わない。あるいは、前垂れ布２と腰紐４を同一の布素材から切り出して一体としてもよい。
【００１７】
図２を参照して、本考案の褌の装着方法を説明する。最初に、図２（Ａ）に示すように、前垂れ布２が尻を覆うようにして腰紐の両端を前方に回し、腰紐を下腹部前側で蝶結びなどで結ぶ（図２（Ｂ））。次に、前垂れ布の先端２ａを股下から前方に回して腰紐４と体の間を通す（図２（Ｃ））。前垂れ２の先端２ａを手から離すと、前垂れ布は垂れ下がり使用者の腰下前方を覆う（図２（Ｄ））。本明細書では、腰紐４から垂れ下がった前垂れ布２の部分を「前垂れ部」６という。ここまでは、従来の越中褌の装着方法と同じである。本考案の褌は、縦横比が従来型の越中褌よりも大きい。それゆえ、使用者が平均的な身長の場合には、前垂れ布２の先端２ａは、図２（Ｄ）に示すように膝の近傍に位置することになる。すなわち、前垂れ部６が長い。そこで、次に、前垂れ布の先端２ａを前方（または後方）に折り返して、腰紐４に挟まれた前垂れ布２（または腰紐４）と体の間に挟み込む（図２（Ｅ））。こうすることで、使用者の前方にぶら下がる前垂れ部６が折り重なって短くなる（図２（Ｆ））。前垂れ部６の長さは、腰紐４と体の間（腰紐の内側）に挟み込む先端２ａの長さを調節することによって変えることができる。このため、使用者の身長や好みに応じて前垂れ部６の長さを調節できる。なお、体の大きな人は、従来の越中褌と同様に、褌を折り返すことなく、前垂れ部６の先端をぶら下げてもよい（図２（Ｄ））。
【００１８】
本考案の褌は、褌の縦横比を４＜Ｌ／Ｗ＜５．２としたので、以下のような効果を奏する。
【００１９】
褌の縦横比が従来の越中褌より大きいので、前垂れ布の長さを従来の越中褌より長くすることができる。このため、褌の装着時に、前垂れ布をこれまで通りに腰紐の内側を通した後、折り返して、先端を腰紐または前垂れ布と体の間に挟み込むことができる。それにより、前垂部の長さが比較的短くなるように調節することができ、ズボンの装着が容易となる。
【００２０】
また、腰紐と体の間に挟み込む前垂れ布の先端の長さを調節することで、前垂部の長さを自在に調節することができる。このため、使用者の好みにより前垂部の長さを選択できる。
【００２１】
また、前垂部が折り返された前垂れ布から構成されているので、下腹部を温かく保つ効果もある。
【００２２】
本考案の上記効果は、前垂れ布の長さＬを１１０ｃｍ〜１３０ｃｍ且つ幅Ｗを２５ｃｍ〜３０ｃｍ、好ましく、長さＬを１１５ｃｍ〜１２５ｃｍ且つ幅Ｗを２６ｃｍ〜２９ｃｍにすることにより一層顕著となる。
【００２３】
以上、本考案の褌を実施形態により説明してきたが、それらは例示にすぎず、本考案の褌は実用新案登録請求の範囲に記載の範囲内で当業者が想い付くような変形や改変することができる。例えば、前垂れ布に、ポケットやファスナーなどの付属物を設けてもよい。また、腰紐については、任意の長さ、形状または構造の紐（または帯）を採用してよく、紐にベルクロ、ボタン、フックなどの係止具を付けても構わない。
【産業上の利用可能性】
【００２４】
本考案の褌は、伝統的な越中褌の外観を維持しつつも、現代人のズボンを履くスタイルにも適している。このため、越中褌を利用するユーザーを増やし、褌の伝統を継承することにも貢献する。さらには、クラシックパンツ、サムライパンツともよばれる越中褌の国際化にも一層貢献することができる。
【符号の説明】
【００２５】
１０    褌
２    前垂れ布  
２ａ  先端
２ｂ  基端
４    腰紐
６    前垂部
８    側端
【図１】
0003203447.tif 000003
【図２】
0003203447.tif 000004